(57)【要約】【課題】衛生的にタンポンの出し入れを行うことができる生理用タンポン個包装体の提供。【解決手段】生理用タンポン個包装体３０が、長さ方向、横方向、長さ方向に互いに離間する底部３５および開口部３４を有する袋体３１と、袋体３１内に収容された生理用タンポン１００とを含み、開口部３４を開くための指差込部４３が、開口部３４近傍に形成されている【選択図】図１
2007054087.tif 000002
【特許請求の範囲】
【請求項１】
長さ方向、横方向、前記長さ方向に互いに離間する底部および開口部を有する袋体と、前記袋体内に収容された生理用タンポンとを含む生理用タンポンの個包装体において、
前記開口部を開くための指差込部が、前記開口部近傍に形成されていることを特徴とする前記個包装体。
【請求項２】
前記開口部が、前記袋体の上端部において前記長さ方向へ向いている請求項１記載の生理用タンポン個包装体。
【請求項３】
前記指差込部が、前記袋体の上端部に位置する請求項２記載の生理用タンポン個包装体。
【請求項４】
前記開口部が、前記袋体の上端部近傍において前記横方向へ向いている請求項１記載の生理用タンポン個包装体。
【請求項５】
前記指差込部が、前記袋体の上端部近傍の側部に位置する請求項４記載の生理用タンポン個包装体。
【請求項６】
前記指差込部が、前記横方向へ延びる請求項１〜５のいずれか１項に記載の生理用タンポン個包装体。
【請求項７】
前記指差込部が、前記長さ方向へ延びる請求項１〜５のいずれか１項に記載の生理用タンポン個包装体。
【請求項８】
前記指差込部が、スリーブ状に形成されている請求項１〜７のいずれか１項に記載の生理用タンポン個包装体。
【請求項９】
前記指差込部が、前記袋体と別体として形成されて、前記袋体に接合している請求項１〜８のいずれか１項に記載の生理用タンポン個包装体。
【請求項１０】
前記指差込部が、前記袋体と一連である請求項１〜９のいずれか１項に記載の生理用タンポン個包装体。
【請求項１１】
前記袋体が、可撓性シートから形成されている請求項１〜１０のいずれか１項に記載の生理用タンポン個包装体。
【請求項１２】
前記指差込部が、可撓性シートから形成されている請求項１〜１１のいずれか１項に記載の生理用タンポン個包装体。
【請求項１３】
前記開口部の前記横方向における寸法が、前記底部のそれとほぼ同じである請求項１〜１２のいずれか１項に記載の生理用タンポン個包装体。
【請求項１４】
前記開口部の前記横方向における寸法が、前記底部のそれよりも大きい請求項１〜１３のいずれか１項に記載の生理用タンポン個包装体。
【発明の詳細な説明】
【技術分野】
【０００１】
この発明は、生理用タンポン個包装体に関し、さらに詳しくは、衛生的にタンポンの出し入れを行うことができる生理用タンポン個包装体に関する。
【背景技術】
【０００２】
生理用タンポンを個別に包装する従来の一般的な生理用タンポン個包装体は、生理用タンポンよりもやや大きめに作られており、そこからタンポンを取り出すことは容易である。しかしながら、使用後のタンポンや付属のタンポンアプリケータを個包装体に戻し入れて廃棄しようとするときには、個包装体の口を大きく開いた状態に維持することが難しく、タンポンやアプリケータに付着していた経血で指が汚れることがあり、非衛生的であった。
近年、タンポンの出し入れを容易にするために、個包装体のシールラインに一対のタブを設けること（特許文献１参照）や、個包装体の底部よりも大きな開口を設けること（特許文献２参照）などが提案されている。
【特許文献１】特開２００４−５１４５３９号公報
【特許文献２】特開２００４−９７２５１号公報
【発明の開示】
【発明が解決しようとする課題】
【０００３】
しかしながら、それらの個包装体においても、開口を開いた状態に維持するためには、開口付近を指で支持する必要があるため、タンポンや付属のアプリケータに指が触れる虞がある。
【０００４】
この発明は、上述のような課題に鑑みてなされたものであり、開口を大きく開いて、衛生的に生理用タンポンを出し入れすることができる生理用タンポン個包装体を提供することを目的とする。
【課題を解決するための手段】
【０００５】
上記課題を解決するためのこの発明に係る生理用タンポン個包装体は、長さ方向、横方向、前記長さ方向に互いに離間する底部および開口部を有する袋体と、前記袋体に前記開口部から収容される生理用タンポンとを含み、前記開口部を前記横方向へ離間させて開くための指差込部が、前記開口部近傍に形成されていることを特徴とする。
【０００６】
この発明において「生理用タンポン」とは、生理用タンポンが付属のアプリケータに収容されたもの、すなわち、アプリケータ付き生理用タンポン、またはアプリケータ付きではない生理用タンポンそれ自体を意味する。
【０００７】
生理用タンポン個包装体が、上述のような指差込部を備えていることによって、タンポン使用者は、指差込部に指を入れて、包装体の開口の縁を支持し、開口部を大きく開くことができる。開口部の縁を支持している間、指は指差込部内にあるから、タンポンや付属のアプリケータを出し入れする際に、指がそれらに触れることがなく、衛生的である。
【０００８】
開口部は、袋体の上端部において長さ方向へ向いていてもよく、袋体の上端部近傍において横方向へ向いていてもよい。
開口部が、袋体の上端部において長さ方向へ向いている場合には、指差込部が、袋体の上端部に位置していると好ましい。開口部が、袋体の上端部近傍において横方向へ向いている場合には、指差込部が、袋体の上端部近傍の側部に位置していると好ましい。開口部と指差込部とが、そのような位置関係にあることにより、指差込部に指を入れて開口部を大きく開き、開口部の縁を確実に支持することができる。
【０００９】
指差込部は、横方向へ延びていてもよく、長さ方向へ延びていてもよい。
【００１０】
指差込部が、スリーブ状に形成されていると、タンポンや付属のアプリケータと指との接触を効果的に防止でき、好ましい。
【００１１】
指差込部は、袋体と別体の材料から形成されて、袋体に接合していてもよく、袋体と一連の同材料から形成されていてもよい。いずれの場合においても、袋体および指差込部が、可撓性シートから形成されていると、開口部を容易に開くことができ、好ましい。
【００１２】
袋体の形状は任意であり、開口部の横方向における寸法が、底部のそれとほぼ同じでもよく、底部のそれよりも大きくてもよいが、開口部が底部に比べて大きいと、タンポンや付属のアプリケータを開口部から挿抜し易い。
【００１３】
この発明に係る生理用タンポン個包装体によれば、袋体の開口部近傍に開口部を開くための指差込部が形成されていることにより、指差込部に指を入れて、開口が大きく開くことができる。その間、指は指差込部内にあるから、タンポンやそれに付属のアプリケータを出し入れする際に、それらが指に触れることがなく、衛生的である。
【発明を実施するための最良の形態】
【００１４】
この発明に係る生理用タンポン個包装体の好ましい実施形態を、図面を参照しながら以下に説明する。ただし、この発明は、実施形態に限定されるものではない。
【００１５】
（第１実施形態）
図１〜４には、第１実施形態に係る生理用タンポン個包装体３０が示されている。この生理用タンポン個包装体３０は、長さ方向に互いに離間する底部３５および開口部３４を有する袋体３１と、袋体３１内に収容されたアプリケータ付き生理用タンポン１００とを含む。袋体３１は、周壁を形成する側壁３２，３３を含む。各側壁２２，２３における開口縁３４ａの近傍には、開口部３４を開くための一対の指差込部４３が形成されている。
【００１６】
袋体３１は、可撓性シート片からなり、上端部３１ａおよび対向する側部３１ｃ，３１ｄが閉じているほぼ長方形の扁平な袋である。下端部３１ａが閉じて底３５を形成し、上端部３１ｂが開放して開口部３４を形成している。開口部３４は、袋体３１の上端部３１ｂにおいて、袋体３１の長さ方向へ向いている。
【００１７】
指差込部４３は、袋体３１とは別体であるほぼ矩形の可撓性シート片４１から構成されており、袋体３１の上端部３１ｂに位置し、袋体３１の横方向に延びている。可撓性シート片４１は、対向する端部４１ａ，４１ｂどうしが重なり合って開口縁３４ａの近傍で側壁３２，３３に連接している。
【００１８】
図２，３から明らかなように、可撓性シート片４１の対向する両端部４１ａ，４１ｂが接合していることによって、筒状、すなわちスリーブ状の指差込部４３が、開口縁３４ａ上における袋体３１の外側に形成されている。この指差込部４３には、可撓性シート片４１に囲まれて画成された挿通口４２から、生理用タンポン使用者の手指を挿抜することが可能である。
【００１９】
この第１実施形態に係る生理用タンポン個包装体３０は、一対の指差込部４３を備えているから、図４に示すように、二本の指１０１で開口縁３４ａを支持し、開口３４を大きく開くことができる。一対の指差込部４３が袋体３１と別体であって、指差込部４３の両端部４１ａ，４１ｂが開口縁３４ａ近傍で重なり合っていることにより、開口縁３４ａ近傍の剛性が袋体３１のその他の部分に比べて高く、開口縁３４ａを指で支持し易い。生理用タンポン使用者が指１０１で開口縁３４ａを支持している間、指１０１は指差込部４１内にあって可撓性シート片４１に覆われているから、特に、経血が付着した生理用タンポンやそれに付属のアプリケータ１００を挿し入れるときに、指１０１がそれらに触れることがなく、衛生的である。
【００２０】
指差込部４３は、袋体３１と一連のシート片から一体的に形成されていてもよい。その場合、生理用タンポン個包装体３０は、図５に示すようにして得られる。
長方形の可撓性シート片５０を、長さ方向の上下端縁５１，５２を合わせるようにして二つに折り曲げる。さらに、両端部分５５，５６をそれぞれ外側に折り曲げ、重なり合ったシート片と端縁５１，５２近傍で永久的に接合する。接合された端縁５１，５２近傍から最下端まで、重なりあうシート片どうしを両側縁５３，５４で永久的に接合する。
【００２１】
袋体３１の側部３１ｃ，３１ｄは、アプリケータ付き生理用タンポン１００よりも長く、およそ９０〜１６０ｍｍであり、上下端部３１ａ，３１ｂは、アプリケータ付き生理用タンポン１００、具体的には、アプリケータの最大外径よりも大きく、およそ３０〜５０ｍｍであることが好ましい。
【００２２】
挿通口４２および指差込部４３の長さ方向、すなわち、開口縁３４ａに沿う方向の寸法は、図示されているように袋体３１の底部３５と同じである。挿通口４２および指差込部４３の開口内径は、使用者の指を容易に挿抜可能な寸法であることが好ましい。
【００２３】
図示の生理用タンポン個包装体３０では、一つの指差込部４３につき二つの挿通口４２が画成されているが、一方の挿通口４２は閉じていてもよい。
【００２４】
図示の生理用タンポン個包装体３０では、対向する側壁３２，３３どうしが開口縁３４ａでは接合していないが、個包装体３０が使用前の一つの生理用タンポンを収容している状態にあるときには、対向する側壁３２，３３どうしが、開口縁３４ａ近傍において指で剥がせる程度の強度で接合し、袋体３１が完全に閉じていると、さらに衛生的で好ましい。
【００２５】
袋体３１の開口縁３４ａから続く側部３１ｃ，３１ｄの一部分については、開口縁３４ａと同様に、指で剥がせる程度の強度で接合し、剥がれ易い部分としてもよい。この剥がれ易い部分は、開口縁３４ａからおよそ５ｍｍの範囲であると好ましい。
【００２６】
図６に示すように、生理用タンポン個包装体３０は、側部３１ｃ，３１ｄが閉じている有底のほぼ三角形の扁平な袋体３１を含んでいてもよい。この生理用タンポン個包装体３０は、開口部３４の横方向における寸法が底部３５のそれよりも大きいから、開口部３４からタンポンや付属のアプリケータを挿抜することが容易である。挿通口４２および指差込部４３の開口縁３４ａに沿う方向の寸法は、少なくとも１５〜２０ｍｍであることが好ましい。
【００２７】
図６に示すように、生理用タンポン１００が、その一部が開口部３４から袋体３１の外に出ている状態で収容されていると、生理用タンポン１００を取り出し易い。このような状態で生理用タンポン１００が包装されている場合にも、一対の指差込部４３を構成しているシート片４１の対向面を指で剥がせる程度の強度で接合して、個包装体３０を完全に閉じてもよい。
【００２８】
生理用タンポン１００は、アプリケータが内筒と外筒とからなり、内筒が外筒の中に収められた状態で包装されるコンパクトなアプリケータ付き生理用タンポンであってもよい。そのようなコンパクトな生理用タンポンを用いる場合、袋体３１の側部３１ｃ，３１ｄは、およそ６５〜８５ｍｍであればよい。
【００２９】
（第２実施形態）
図７〜９に示す第２実施形態に係る生理用タンポン個包装体３０においては、第１実施形態に係るそれと同じ主要な部材，部位にはそれぞれ同じ符号を付して、その説明を省略する。
【００３０】
第２実施形態に係る生理用タンポン個包装体３０は、袋体３１の上端部３１ｂ近傍の側部３１ｃにおいて横方向へ向いている開口部３４を備えている。開口部３４以外の袋体３１の周縁は閉じている。
【００３１】
袋体３１とは別体であるほぼ矩形の一対の可撓性シート片４１が、対向する両端部４１ａ，４１ｂにおいて側壁３２，３３外面の開口縁３４ａ近傍に固定されていることにより、袋体３１の上端部３１ｂ近傍の側部３１ｃに位置し、袋体３１の長さ方向に延びる一対の筒状、すなわちスリーブ状の指差込部４３が、袋体３１の外側に形成されている。可撓性シート片４１の一端部４１ａは、開口縁３４ａで側壁３２，３３に固着し、その一端部４１ａに対向する他端部４１ｂは、開口縁３４ａ以外の部分で側壁３２，３３に固着している。側壁３２，３３に固着していない可撓性シート片４１の長さ方向において対向する両縁部が、一対の挿通口４２を画成している。指差込部４３には、挿通口４２から生理用タンポン使用者の手指を挿抜することが可能である。
【００３２】
この第２実施形態に係る生理用タンポン個包装体３０は、開口部３４および一対の指差込部４３が、袋体３１の長さ方向に延びる側部３１ｃに形成されているから、二本の指で開口の縁３４ａを衛生的かつ確実に支持し、開口部３４を大きく開くことができる。
【００３３】
袋体３１と指差込部４１とは、一連のシート片から一体的に形成されていてもよい。その場合、生理用タンポン個包装体３０は、図１０に示されているようにして製造することができる。図示のような形状の可撓性シート片５０の上下に張り出した部分５７，５８を外側に折り曲げ、重なり合ったシート片と端縁５５，５６近傍で永久的に接合する。上下端縁５１，５２を合わせるようにしてシート片５０を二つに折り曲げる。重なりあうシート片どうしを、張り出した部分５７，５８を除いて、端縁５１，５２および両側縁５３，５４で永久的に接合する。
【００３４】
図示の生理用タンポン個包装体３０では、一つの指差込部４３に二つの挿通口４２が画成されているが、一方の挿通口４２は閉じていてもよい。
【００３５】
図示の生理用タンポン個包装体３０では、対向する側壁３２，３３どうしが開口縁３４ａでは接合していないが、個包装体３０が使用前の一つの生理用タンポンを収容している状態にあるときには、対向する側壁３２，３３どうしが、開口縁３４ａ近傍において指で剥がせる程度の強度で接合し、袋体３１が完全に閉じていると、さらに衛生的で好ましい。
【００３６】
袋体３１の開口縁３４ａから続く上端部３１ｂおよび側部３１ｃの一部分については、開口縁３４ａと同様に、指で剥がせる程度の強度で接合し、剥がれ易い部分としてもよい。この剥がれ易い部分は、開口縁３４ａからおよそ５ｍｍの範囲であると好ましい。
【００３７】
図１１に示されているように、側壁３２，３３に固定された端部４１ａ，４１ｂどうしの間で可撓性シート片４１が弛むように、可撓性シート片４１の端部４１ｂが、図７に示されているよりも開口縁３４ａ寄りの位置で側壁３２，３３に固定されてもよい。指差込部４１がそのように側壁３２，３３に固定されていると、挿通口４２から指差込部４３内に指を挿し入れることがさらに容易になる。
【００３８】
（第３実施形態）
図１３〜１６に示す第３実施形態に係る生理用タンポン個包装体３０においては、第１実施形態に係るそれと同じ主要な部材，部位にはそれぞれ同じ符号を付して、その説明を省略する。
【００３９】
生理用タンポン個包装体３０は、袋体３１の開口部３４を覆う蓋部材６１を含む。
【００４０】
袋体３１は、上端部３１ａおよび対向する側部３１ｃ，３１ｄが閉じているほぼ長方形の扁平な袋である。下端部３１ａが閉じて底３５を形成し、上端部３１ｂが開放して開口部３４を形成している。開口部３４は、袋体３１の上端部３１ｂにおいて、袋体３１の長さ方向へ向いている。
【００４１】
袋体３１の二つの側壁３２，３３のち、一方の側壁３２の開口縁３４ａに指差込部４３が形成されており、他方の側壁３３の開口縁３４ａに、蓋部材６１が取り付けられている。
【００４２】
袋体３１，指差込部４３および蓋部材６１は、それぞれ別体の可撓性シート片から構成されている。
【００４３】
可撓性シート片４１が、開口縁３４ａに沿う端部４１ａとそれに隣接する両側部４１ｃ，４１ｄとにおいて袋体３１の側壁３２外面に固着していることにより、袋体３１の上端部３１ｂに位置し、開口縁３４ａより下方へ袋体３１の長さ方向に延びる筒状、すなわちスリーブ状の指差込部４３が、袋体３１の外側に形成されている。可撓性シート片４１の端部４１ｂが側壁３２に固着していないことによって、そこに一つの挿通口４２が画成されている。この挿通口４２から指差込部４３に生理用タンポン使用者の手指を挿抜することができる。
【００４４】
この第３実施形態に係る生理用タンポン個包装体３０は、開口部３４を上に向けたときに、挿通口４２から指差込部４３内に指１０１を上向きに入れて、タンポンや付属のアプリケータ１００を上方から挿入することが容易である。スリーブ状の指差込部４３の、挿通口４２と対向する部分が閉じているから、指差込部４３に指を挿入して袋体３１の開口縁３４ａを支持している間、指１０１がタンポンや付属のアプリケータ１００に触れる虞がない。
【００４５】
袋体３１と指差込部４３と蓋部材６１とは、一連のシート片から一体的に形成されていてもよい。その場合、生理用タンポン個包装体３０は、図１７に示すようにして製造することができる。
長方形の可撓性シート片５０を、一方の端部分５５の方が長くなるように、長さ方の上下端縁５１，５２をずらして二つに折り曲げ、さらに、端部分５６のみを外側に折り曲げる。端部分５６側の端縁から最下端まで、重なりあうシート片どうしを両側縁５３，５４で接合する。
【００４６】
袋体３１は、アプリケータ付き生理用タンポン１００よりも長く、およそ９０〜１６０ｍｍであり、上下端部３１ａ，３１ｂは、アプリケータ付き生理用タンポン１００、具体的には、アプリケータの最大外径よりも大きく、およそ３０〜５０ｍｍであることが好ましい。
【００４７】
挿通口４２および指差込部４３の開口縁３４ａに沿う方向の寸法は、図示されているように袋体３１の底部３５と同じである。挿通口４２および指差込部４３の開口内径は、使用者の指を容易に挿抜可能な寸法であることが好ましい。
【００４８】
蓋部材６１の長さ方向の寸法は、およそ５０〜７０ｍｍであることが好ましく、横方向の寸法は、袋体３１の上端部３１ｂの寸法以上であることが好ましい。
【００４９】
図１８に示されているように、開口縁３４ａである二つの側壁３２，３３の端縁どうしは、一部において重なり合っていなくてもよい。端縁がずれている部分では、開口を容易に開くことができるから、タンポンや付属のアプリケータを挿し入れることが容易である。二つの側壁３２，３３の端縁どうしは、袋体３１に収容されている生理用タンポン１００の先端が５ｍｍ程度露出するようにずれていることが好ましい。
【００５０】
図示の生理用タンポン個包装体３０では、蓋部材６１が、基部６２においてにのみ側壁３２に固着しているが、個包装体３０が使用前の一つの生理用タンポンを収容している状態にあるときには、蓋部材６１が、基部６２以外の部分においても指で開封可能な程度の強度で側壁３２に接合し、袋体３１が完全に閉じていると、さらに衛生的で好ましい。具体的には、蓋部材６１が、先端部分６３や両側縁６４，６５において、対向する側壁３２の外面に固着していることが好ましい。基部６２以外の部分における側壁３２に対する蓋部材６１の接合は、接着と剥離を繰り返すことができるような公知の粘着剤を用いて行ってもよい。
【００５１】
蓋部材６１を基部６２以外の部分においても側壁３２に固定する場合には、蓋部材６１を、開口縁３４ａに沿ってではなく、開口縁３４ａからおよそ５ｍｍの先端部分６３寄りの位置で折り曲げて側壁３２に固定するとより好ましい（図示せず）。
【００５２】
（第４実施形態）
図１９〜２１に示す第４実施形態に係る生理用タンポン個包装体３０においては、第１実施形態に係るそれと同じ主要な部材，部位にはそれぞれ同じ符号を付して、その説明を省略する。
【００５３】
生理用タンポン個包装体３０は、袋体３１と、指差込部４３と、袋体３１の開口部３４を覆う蓋部材６１とを含む。袋体３１，指差込部４３，および蓋部材６１が、一枚の可撓性シート片から一体的に形成されている。
【００５４】
袋体３１は、上端部３１ａおよび対向する側部３１ｃ，３１ｄが閉じているほぼ長方形の扁平な袋である。下端部３１ａが閉じて底３５を形成し、上端部３１ｂが開放して開口部３４を形成している。開口部３４は、袋体３１の上端部３１ｂにおいて、袋体３１の長さ方向へ向いている。
【００５５】
袋体３１の二つの側壁３２，３３のち、側壁３２を構成するシート片の一部分が、上端縁が側部３１ｃと重なるように袋体３１の外側に斜めに折れ曲がり、側部３１ｃにおいて側壁３２に固着している。それによって、袋体３１の上端部３１ｂに位置し、袋体３１の長さ方向に延びる筒状、すなわちスリーブ状の指差込部４３が、袋体３１の外側に形成されている。折れ曲がったシート片の、側壁３２に固着していない縁部が、指差込部４３に指を挿入するための挿通口４２を画成している。側壁３２における開口縁３４ａは、上記折れ曲がったシート片の折山部分である。この側壁３２における開口縁３４ａは、そのほぼ全長にわたり、対向する側壁３３における開口縁３４ａと重なり合っていない。
【００５６】
この第４実施形態に係る生理用タンポン個包装体３０は、袋体３１の、対向する側壁３２，３３における開口縁３４ａどうしがずれているから、開口部３４が開き易い。また、この生理用タンポン個包装体３０は、開口３４を上に向けたときに、指挿通口４２から指差込部４３内に指１０１を上向きに入れて、タンポンや付属のアプリケータ１００を上方から挿入することが容易である。スリーブ状の指差込部４３の、挿通口４２と対向する部分が閉じているから、指差込部４３に指を挿入して袋体３１の開口縁３４ａを支持している間、指１０１がタンポンや付属のアプリケータ１００に触れる虞がない。
【００５７】
この第４実施形態に係る生理用タンポン個包装体３０は、図２２に示されているようにして製造することできる。
長方形のシート片５０を、長方形のシート片５０を、一方の端部分５５の方が長くなるように、長さ方の上下端縁５１，５２をずらして二つに折り曲げ、さらに、端部分５６のみを、端縁５２が側縁５３に重なるように外側に折り曲げる。端部分５６側の端縁から最下端まで、重なりあうシート片どうしを両側縁５３，５４で接合する。
しかし、この第４実施形態に係る生理用タンポン個包装体３０においても、第３実施形態に係るそれと同様に、それぞれ別体である袋体３１，指差込部，および蓋部材が、互いに接合していてもよい。
【００５８】
個包装体３０が使用前の一つの生理用タンポンを収容している状態にあるときには、蓋部材６１が、基部６２以外の部分において指で開封可能な程度の強度で側壁３２に接合し、袋体３１が完全に閉じていると、さらに衛生的で好ましい。具体的には、蓋部材６１が、先端部分６３や両側縁６４，６５において、対向する側壁３２の外面に固着していることが好ましい。基部６２以外の部分における側壁３２に対する蓋部材６１の接合は、接着と剥離を繰り返すことができるような公知の粘着剤を用いて行ってもよい。その場合には、個包装体３０を開封した後に、粘着剤を介して側壁３３の外面に蓋部材６１を接着すれば、側壁３３の外側にさらなるスリーブ状の指差込部を形成することができる。
【００５９】
袋体３１の開口縁３４ａから続く側部３１ｄの一部分については、指で剥がせる程度の強度で接合し、剥がれ易い部分としてもよい。この剥がれ易い部分は、開口縁３４ａからおよそ５ｍｍの範囲であると好ましい。
【００６０】
袋体３１，指差込部４１，および蓋部材６１としては、公知の紙，プラスチックフィルム，不織布，および織布など適宜のシート材料を使用することができる。中でも、ポリエチレンフィルム／ＳＭＳ／ＳＭＭＳ／紙の積層物が好ましい。経血が付着した使用後の生理用タンポンや付属のアプリケータを収容することを考慮して、不透液性であって、尚且つ不透明なシート材料を使用するとより好ましい。
【００６１】
シート片どうしの接合固定には、ホットメルト接着剤などの接着剤による接着または熱溶着など公知の接合手段を用いることができる。
【００６２】
袋体３１，指差込部４１，および蓋部材６１の大きさは、収容する生理用タンポンの大きさに合わせて、適宜変更することができる。
【００６３】
生理用タンポン個包装体内に収容する生理用タンポンとしては、種々のタイプの生理用タンポンを適用することができ、アプリケータ付きの生理用タンポン以外に、指を使って膣内に挿入するフィンガータイプや、スティックを使って膣内に挿入するスティックタイプの生理用タンポンであってもよい。
【図面の簡単な説明】
【００６４】
【図１】この発明の第１実施形態に係る生理用タンポン個包装体を示す図。
【図２】図１の２−２線端面図。
【図３】図１の３−３線端面図。
【図４】第１実施形態に係る生理用タンポン個包装体にタンポンが挿抜されている状態を示す図。
【図５】第１実施形態に係る生理用タンポン個包装体の作り方を示す図。
【図６】第１実施形態に係る生理用タンポン個包装体の変形例を示す図。
【図７】この発明の第２実施形態に係る生理用タンポン個包装体を示す図。
【図８】図７の８−８線端面図。
【図９】図７の９−９線端面図。
【図１０】第２実施形態に係る生理用タンポン個包装体の作り方を示す図。
【図１１】第２実施形態に係る生理用タンポン個包装体の変形例を示す図。
【図１２】第２実施形態に係る生理用タンポン個包装体にタンポンが挿抜されている状態を示す図。
【図１３】この発明の第３実施形態に係る生理用タンポン個包装体を示す図。
【図１４】図１３の１４−１４線端面図。
【図１５】図１３の１５−１５線端面図。
【図１６】第３実施形態に係る生理用タンポン個包装体にタンポンが挿抜されている状態を示す図。
【図１７】第３実施形態に係る生理用タンポン個包装体の作り方を示す図。
【図１８】第３実施形態に係る生理用タンポン個包装体の変形例を示す図。
【図１９】この発明の第４実施形態に係る生理用タンポン個包装体を示す図。
【図２０】図１９の２０−２０線端面図。
【図２１】第４実施形態に係る生理用タンポン個包装体にタンポンが挿抜されている状態を示す図。
【図２２】第４実施形態に係る生理用タンポン個包装体の作り方を示す図。
【符号の説明】
【００６５】
３０    生理用タンポン個包装体
３１    袋体
３４    開口部
４３    指差込部
１００    生理用タンポン
【図１】
2007054087.tif 000003
【図２】
2007054087.tif 000004
【図３】
2007054087.tif 000005
【図４】
2007054087.tif 000006
【図５】
2007054087.tif 000007
【図６】
2007054087.tif 000008
【図７】
2007054087.tif 000009
【図８】
2007054087.tif 000010
【図９】
2007054087.tif 000011
【図１０】
2007054087.tif 000012
【図１１】
2007054087.tif 000013
【図１２】
2007054087.tif 000014
【図１３】
2007054087.tif 000015
【図１４】
2007054087.tif 000016
【図１５】
2007054087.tif 000017
【図１６】
2007054087.tif 000018
【図１７】
2007054087.tif 000019
【図１８】
2007054087.tif 000020
【図１９】
2007054087.tif 000021
【図２０】
2007054087.tif 000022
【図２１】
2007054087.tif 000023
【図２２】
2007054087.tif 000024